(57)【特許請求の範囲】
【請求項１】
便器本体の排出口に接続する排出側接続管と、建屋側排水管に接続する排水側接続管と、前記排出側接続管と前記排水側接続管とを接続する弾性部材からなる接続部材とを備えた、便器と排水管との接続装置であって、
前記排出側接続管は、前記排出口を収容する大口径部と、前記大口径部の下流側に設けられた水平段部と、前記水平段部から下流側に設けられた小口径部と、前記大口径部の外側で前記水平段部から延設して立設された前記接続部材を接続する接続部材嵌合部と、を有し、
前記小口径部は、その外径寸法を前記排水側接続管の内径寸法より小さい寸法として、排水側接続管の内側に間隙をもって収容され、
さらに、前記接続部材の一方端部が前記接続部材嵌合部の外周面に接続されると共に、他方端部を前記排水側接続管の外周面に接続されて、前記小口径部が前記間隙の範囲で移動可能とし、
前記排出側接続管の外側面に前記排水側接続管の上端部を当接させ、前記排水側接続管で前記排出側接続管を支持していることを特徴とする便器と排水管との接続装置。
【請求項２】
前記接続部材がその中間部に折り返し部を備えていることを特徴とする請求項１に記載の便器と配水管との接続装置。
【発明の詳細な説明】
【０００１】
【発明の属する技術分野】
本発明は腰掛式の水洗便器の排出口と外部の排水管との接続装置に係り、特に水洗便器本体の後方に配置された洗浄水タンクなどを収納するトイレ用収納体付き水洗便器と外部の排水管との接続装置に関する。
【０００２】
【従来の技術】
従来、トイレ室に据え付けた腰掛式の水洗便器本体の後部に、キャビネット状の収納体を設け、この中に洗浄水タンクを収納するようにしたトイレ用収納体が知られている。  このトイレ用収納体は、洗浄水タンクを設置するためのタンク設置スペースを形成するタンク前パネルと、このタンク前パネルの側方に立設して配置されるとともに、上記タンク設置スペースに接した収納スペースを形成するキャビネット前パネルを有するキャビネットとを備えている。
【０００３】
【発明が解決しようとする課題】
ところで、腰掛式の水洗便器本体は、配管施工などのためにトイレ室内に所定の位置に設置されるが、前記便器本体を建屋側の排水管に直接固定する施工をするときに、施工誤差があると前記便器本体の位置をトイレ室の前後へ変更し難い施工状態になっている場合がある。
【０００４】
具体的に説明すると、建屋側の排水管の位置がトイレ室内所定の位置より壁から離れていると、壁に固定されるキャビネットと建屋側排水管の位置基準で固定される便器本体との間に隙間ができ意匠性を損なうという問題が生じる。
【０００５】
逆に、室内所定位置より壁に近すぎるとキャビネットの後部に便器本体が干渉してしまい施工不可能となる場合も有り得る。
【０００６】
このため便器本体を建屋側の排水管に固定した後でも施工誤差に対応するために、便器本体の位置をトイレ室の前後へ移動可能な便器側排水管と建屋側排水管との接続装置が必要となる。
【０００７】
本発明は、上記従来の技術の問題を解決するものであり、トイレ用収納体付きの水洗便器を取り付ける際、その施工品質を向上することができる便器と排水管との接続装置と、この接続装置を備えた水洗便器を提供することを目的とする。
【０００８】
上記目的を達成するために、請求項１記載の本発明の便器と排水管との接続装置は、便器本体の排出口に接続する排出側接続管と、建屋側排水管に接続する排水側接続管と、前記排出側接続管と前記排水側接続管とを接続する弾性部材からなる接続部材とを備えた、便器と排水管との接続装置であって、前記排出側接続管は、前記排出口を収容する大口径部と、前記大口径部の下流側に設けられた水平段部と、前記水平段部から下流側に設けられた小口径部と、前記大口径部の外側で前記水平段部から延設して立設された前記接続部材を接続する接続部材嵌合部と、を有し、前記小口径部は、その外径寸法を前記排水側接続管の内径寸法より小さい寸法として、排水側接続管の内側に間隙をもって収容され、さらに、前記接続部材の一方端部が前記接続部材嵌合部の外周面に接続されると共に、他方端部を前記排水側接続管の外周面に接続されて、前記小口径部が前記間隙の範囲で移動可能とし、前記排出側接続管の外側面に前記排水側接続管の上端部を当接させ、前記排水側接続管で前記排出側接続管を支持していることを特徴とする。
そのため、便器本体を接続装置に接続完了後でも便器位置をトイレ室の前後左右へ移動変更可能となり、便器本体の後方にキャビネットを設置したときでも便器本体とキャビネット前パネルとの間に間隙や、キャビネットの後部とトイレ室後壁との間に間隙が生じて美観を損なうことがなくなる。
しかも、排出側接続管と排水側接続管とが相互にオーバーラップして連絡しているので、便器本体の排出口を排出側接続管に接続した後の移動範囲が規制され所定の調整範囲内での便器の移動が可能となる。
また、排出側接続管と排水側接続管とが弾性材によって連結されているので、前記排出側接続管の移動が容易となる。
【０００９】
また、排水側接続管の端部に、排出側接続管の水平段部の外側面が当接されることを特徴とする。
したがって、水平段部にて排出側接続管が支持される。また、当接する部分でシール機構を構成することもできる。
【００１０】
また、接続部材がその中間部に折り返し部を備えていることを特徴とする。
【００２１】
【発明の実施の形態】
本発明の構成・作用を一層明らかにするために、以下に好適な実施例について説明する。
図１は本発明の一実施の形態にかかるトイレ用収納体付の水洗便器を設置したトイレ室内を示す斜視図、図２は図１のＡ−Ａ線に沿った断面図である。
図１及び図２において、水洗便器１は、ボール部２を有する便器本体３上に便座４及び便蓋５を備えておりトイレ室内のほぼ中央に設置されている。この水洗便器１の後部であり、つまりトイレ室内の奥側にはトイレ用収納ボックス９が設けられている。
トイレ用収納ボックス９は、内部に洗浄水タンク１３や配管を配置するとともにトイレットペーパーなどを収容するものであり、水洗便器１の後部に立設配置された前面パネル１０と前面パネル１０の左右両側に配置された右キャビネット１１Ｒ及び左キャビネット１１Ｌと、手洗いカウンター１７とを備えている。
【００２２】
（第１の実施例）
図３は水洗便器１の便器本体３と、建屋の床面ＴＦに設けられた既設の排水管５０とを接続装置５６によって接続した状態を示す断面図である。３ａはスカート部である。
図４は便器本体３の平面図である。６は前面パネル１０との便器連結部である。
接続装置５６は、排水側接続管５１と、一部に折り返し部５５をもつ弾性部材で形成された接続部材５３で構成されている。
排水側接続管５１は、便器本体３の排水口１８側が大口径で、排水管５０側が小口径の大小異径状で硬質塩化ビニール等の合成樹脂材料で成形されている。
接続部材５３は可撓性を有する樹脂材料（例えば、ＥＰＤＭ等）で成形し、一端を排水口１８に嵌合し、他端を排水側接続管５１の大口径側に嵌合している。接続部材５１を嵌合後、ホースバンド５４ａ、５４ｂで排水口１８、排水側接続管５１と固定している。
【００２３】
次に、水洗便器１とトイレ用収納ボックスとの組み付け、施工する手順について説明する。
トイレ用収納ボックスについては、図１、図２を用いて説明する。
まず、図３に示すように接続部材５３によって便器本体排水口１８と排水側接続管５１とをホースバンド５４ａ、５４ｂで接続する。そして、図２に示すように奥壁面ＴＷａを基準にして左右キャビネット１１Ｌ、１１Ｒを固定ネジ１４、１４により設置する。
その後、前面パネル１０を便器連結部６に挟み込んだ状態で接続部材５３の可動性を利用して左右キャビネット１１Ｌ、１１Ｒに間隔がないように前面パネル１０と一緒に押し付ける。
【００２４】
押し付けた状態で図５に示すように奥壁面ＴＷａより所定の位置の床面ＴＦに固定しておいた後部固定片７に固定ビス１５にて便器本体３の左右側を固定し、前部固定片８に固定ビス１５にて便器本体３の前側を固定して、便器本体３を床面ＴＦに固定する。その後、化粧キャップ１６を固定ビス１５の頭部に取り付ける。
【００２５】
続いて、手洗カウンタ１７の設置及びその配管接続や、便座４や便蓋５などの設置などの作業を行うことにより、水洗便器１及びトイレ用収納ボックス９の施工が終了する。
この実施例において、接続部材５３の折り返し形状部５５の弾性変形の範囲で便器本体３が移動でき、便器本体３、前パネル１０、左右キャビネット１１Ｌ、１１Ｒ相互の間に隙間が生じない。
【００２６】
（第２の実施例）
図６は水洗便器１の便器本体３と、建屋の床面ＴＦに設けられた既設の排水管５０とを接続装置５７によって接続した状態を示す別の実施例の断面図である。接続装置５７は、便器本体３の排出口１８と接続する排出側排水管５８と、建屋側の排水管５０と接続する直管状の排水側接続管５９と、排出側接続管５８と排水側接続管５９とを接続する接続部材６０で構成している。
排出側接続管５８は、排出口１８を収容する大口径部５８ａと、その下流に設けた水平段部５８ｃと、水平段部５８ｃから延設した小口径部５８ｂと、大口径部５８ａの外側で水平段部５８ｃを延設して立設した接続部材６０を嵌合する接続部材嵌合部６１とで構成している。
５２は大口径部５８ａに排出口１８を収容して接続シールする弾性材で形成したシール部材である。
排水側接続管５９は、排出接続管５８の小口径部５８ｂの一部をオーバーラップして収容する口径を有している。
接続部材６０は、弾性部材で形成された管材で中間部に折り返し部６０ａを有し、一端が排出側接続管５８の接続部材嵌合部６１の外周部と、他端が排水側接続管５９の大口径部５８ａの外周部と接続され、接続部材６０の保持力により排出側接続管５８を支持するとともに、排水流路６２をシールする。
５４ｃ、５４ｄは接続部材６０と排出側接続管５８の接続部材嵌合部６１及び排水側接続管５９とを接続後に締結するホースバンドである。
【００２７】
この実施例において、接続部材６０は弾性部材で形成された管材で中間部に折り返し部６０ａの可動性により、排出側接続管５８の小口径部５８ｂが排水側接続管５９の内側面との間隙ｄの範囲内で移動できる。この可動性により便器本体３は前面パネル１０に押付け固定される。
また、前記図３の接続部材５３の取付けは必ず現場となるが、本実施例においては、予め工場等で接続部材５３の組付けが可能であるため、現場では上方から便器本体３をシール部材５２にはめ込むだけの形（これをスリップイン方式と呼ぶ）となり、施工性の向上も期待できる。
水洗便器１とトイレ用収納ボックスとの組み付け、施工する手順については省略する。
【００２８】
（第３の実施例）
この実施例は図７に示すように、便器本体３の排出口１８の軸芯と、建屋側の排水管５０の軸芯が相対的に大幅にずれた位置関係の場合の例で、排水側接続管５９がＬ字状の第１曲管５９ａと、逆Ｌ字状の第２曲管５９ｂとで構成している。第２曲管５９ｂを排水管５０と嵌合し、第１曲管５９ａの一端が排出側接続管５８の小口径部５８ｂを収容し他端が第２曲管５９ｂと嵌合している。
排出側接続管５８の水平段部５８ｃの外側面５８ｄに排水側接続管５９の第１曲管５９ａの上端部を当接させ、排水側接続管５９で排出側接続管５８を支持している。その他の構成は、第２の実施例と同様である。
この場合、排出側接続管５８を排水側接続管５９の第１曲管５９ａで支持しているので、接続部材６０には無理な荷重がかからず、接続部材５３は排水流路  のシール性を確保するだけの機能だけでよく、排出側接続管５８を支えるための保持力を必要としない。そのため接続部材６０を構成する弾性材の硬度も小さいものが使用できる。
水洗便器１とトイレ用収納ボックスとの組み付け、施工する手順については省略する。
【００２９】
（第４の実施例）
この例は、図８に示すように、第２、３の実施例における接続部材６０とシール部材５２とを一体的に形成した例である。
この場合は、便器本体３の排出口１８を排出接続管５８の大口径部５８ａにと締結するためのホースバンドが不要となり、組付性の向上とコストダウンも期待できる。
【００３０】
【発明の効果】
本発明によれば、便器本体排出口と排水側接続管の間に可動部を備えている為、接続完了後でも便器の位置を可動することができ施工性が向上する。
また、便器本体の後方にキャビネットを設置したときでも、便器本体とキャビネット前パネルとの間に間隔やキャビネット後部とトイレ室後壁との間に間隔が生じて美観を損なうことがなくなる。
【図面の簡単な説明】
【図１】本発明の一実施の形態にかかるトイレ用収納体を設置したトイレ室内を示す斜視図である。
【図２】図１のＡ−Ａ線に沿った断面図である。
【図３】第１の実施例にかかる便器本体３と排水管５０とを接続した状態を示す断面図である。
【図４】便器本体３の平面図である。
【図５】便器本体３の床面ＴＦに固定作業を説明するを説明図である。
【図６】第２の実施例にかかる便器本体３と排水管５０とを接続した状態を示す断面図である。
【図７】第３の実施例にかかる便器本体３と排水管５０とを接続した状態を示す断面図である。
【図８】第４の実施例にかかる便器本体３と排水管５０とを接続した状態を示す断面図である。
【符号の説明】
１…水洗便器
２…ボール部
３…便器本体
３ａ…スカート部
４…便座
５…便蓋
６…連結部
７…前部固定片
８…後部固定片
９…トイレ用収納ボックス
１０…前面パネル
１１Ｌ…左キャビネット
１１Ｒ…右キャビネット
１３…洗浄水タンク
１４…固定ねじ
１５…固定ビス
１６…化粧キャップ
１７…手洗カウンタ
１８…便器本体の排出口
５０…建屋側の排水管
５１…排水側接続管
５２…シール部材
５３…接続部材
５４ａ、５４ｂ、５４ｃ、５４ｄ…ホースバンド
５５…折り返し部
５６…接続部材
５７…接続装置
５８…排出側接続管
５８ａ…大口径部
５８ｂ…小口径部
５８ｃ…水平段部
５９…排出側接続管
６０…接続部材
６０ａ…折り返し部
６１…接続部材嵌合部
６２…排水流路
ＴＦ…床面
ＴＷａ…奥壁面
【図１】
0003687402.tif 000002
【図２】
0003687402.tif 000003
【図３】
0003687402.tif 000004
【図４】
0003687402.tif 000005
【図５】
0003687402.tif 000006
【図６】
0003687402.tif 000007
【図７】
0003687402.tif 000008
【図８】
0003687402.tif 000009